(57)【特許請求の範囲】
【請求項１】
光源側からの光をパネル部で変調し画像表示を行う画像表示装置であって、
複数の色フィルタが周状に配され、回転により、該色フィルタに入射される光源側の光から該色フィルタ対応の色成分光を順次分離する色円盤と、
上記色円盤を回転駆動するモータと、
上記色フィルタの損傷状態または上記色円盤の回転状態を検知して異常を判別し上記モータの回転を停止または減速させるよう制御する構成を有する制御手段と、
上記色フィルタからの上記色成分光を画像入力信号に基づき変調するパネル部と、
該パネル部からの出射光を表示部に導く手段と、
を備え、画像信号の所定の表示期間を時分割した上記色成分光に基づき画像表示を行い、上記異常のときは上記色円盤の回転を停止または減速させるとともに該画像表示を自動的に停止させるようにしたことを特徴とする画像表示装置。
【請求項２】
上記制御手段は、上記色フィルタに対する透過光もしくは反射光、またはそれらによる出力信号、または色円盤の振動を検知することにより上記色フィルタの状態または上記色円盤の回転状態を検知する構成である請求項１に記載の画像表示装置。
【請求項３】
上記制御手段は、上記光源とは異なる第２の光源を有し、該光源からの光の上記色フィルタに対する透過光もしくは反射光の変化により上記異常を検知する構成である請求項１に記載の画像表示装置。
【請求項４】
上記制御手段は、上記検知した透過光もしくは反射光、またはそれらによる出力信号、または上記振動の各レベル、または、該透過光、該反射光、該出力信号、または該振動の単位時間当たりの変化量を、それぞれ設定基準値と比較して上記異常を判別する構成である請求項２に記載の画像表示装置。
【請求項５】
上記制御手段は、上記設定基準値を、上記色フィルタへの入射光レベル以下、透過光レベル以上の値とする構成である請求項４に記載の画像表示装置。
【請求項６】
上記制御手段は、上記色フィルタに対する透過光もしくは反射光、または該透過光もしくは該反射光による出力信号、または上記色円盤の振動を検知する検知部と、該検知部からの出力を設定基準値と比較し上記異常を判別する比較回路とを備えている請求項１に記載の画像表示装置。
【請求項７】
光源側からの光をパネル部で変調し画像表示を行う画像表示装置に用いられ、回転により色フィルタで入射光から色成分光を順次分離する色円盤を回転駆動するためのモータの制御回路であって、上記色フィルタに対する透過光もしくは反射光から得られる信号、または色円盤の振動から得られる信号が入力され、設定基準値との比較により、上記色フィルタの破損状態または上記色円盤の回転状態に対応して上記モータの回転を制御する信号を形成することを特徴とする制御回路。
【発明の詳細な説明】
【０００１】
【発明の属する技術分野】
本発明は、光源側からの光を、透過型もしくは反射型の液晶パネルまたは微小な反射ミラー等のネル部に照射して画像形成を行う画像表示技術に関し、特に色順次に光量変調することでカラー画像を再現する画像表示技術に関する。
【０００２】
【従来の技術】
例えば、液晶パネルを用いる従来の投射型ディスプレイ装置では、ＣＲＴ（陰極線管）方式の装置に比べて小型化、軽量化を達成し易い。また、ＣＲＴ方式と違い、サイズ歪や地磁気に影響されないためコンバーゼンス調整をし易い。また、光源の特性、光学設計により、広い色再現性も実現できる。さらに、動画像の解像度劣化を改善するため，液晶の応答速度の向上や、コントラスト改善、除外偏光成分の有効活用等による光利用率の向上化、画素開口率の改善等、高性能化を目指した取り組みも盛んに行われている。
また、投射型ディスプレイ装置として、微小な反射ミラーを用い、コントラスト、光の利用率の向上を図ったものも提案されている。例えば、米国特許第５４４２４１１号明細書（公報）、同第５２８０２７７号明細書（公報）、同第５６６８６１１号明細書（公報）、同第５６８０１８０号明細書（公報）、特開平１０−４８５４２号公報等に記載されたものがある。この方式は、微小ミラーの反射面をメモリアレイのセル上に２次元的に配列し、静電力により該微小ミラーの反射面の傾きを制御して光源からの光の反射方向を変え画像を表示するものである。これによる階調表現は、フレーム期間内（例えば１６．７〜２０ｍｓ）で、応答速度が１０〜２０μｓオーダーの微小ミラーのオン／オフ時間を制御し、かつ、画像を見る人の側では、視覚反応速度から発光時間をフレーム期間内でアナログ値として積算し階調を認識できるようにしている。さらに、Ｒ、Ｇ、Ｂの再現には、１個の微小ミラーを用いて時分割で表現する場合や、色毎に３個の微小ミラーを設けて輝度レベルを確保する場合など、用途及び製品コストに応じた構成にしてある。
かかるパネル部を用いる投射型ディスプレイ装置の場合、光源としては、集光性の点から点光源であることや、スペクトル分光に優れていることや、高効率発光特性であることや、高寿命であることや、何よりも発光ムラの少ない均一な光強度が得られること等が望まれ、実際にはキセノンランプや、メタルハライドランプ等が用いられる。
【０００３】
図５は従来の投射型ディスプレイ装置の構成例を示す。本例は、パネル部として１個の画像表示デバイスを用いてＲ、Ｇ、Ｂを色順次で表現する構成である。１は映像信号を入力する入力端子、２、３はそれぞれ映像信号の垂直、水平同期信号を入力する同期信号入力端子、４は各種タイミング信号を生成するタイミング生成部、５は画像表示デバイス１７を制御する画像表示デバイス制御部、１０は白色光からＲ、Ｇ、Ｂそれぞれの成分を透過させる色フィルタを周状に並べた色円盤、１１は該色円盤を回転させるモータ、９はモータ１１を駆動制御する色円盤ユニット制御部、１２は該色円盤の回転位置を検出するセンサ、１３は該センサからの信号を増幅するＡＭＰ（増幅器）、１４は光源としてのランプ、１５、１６はコンデンサレンズ、１７は液晶パネルあるいは反射型表示デバイス等の画像表示デバイス（パネル部）、１８は投射レンズ、１９はスクリーンである。図６は本従来例の補足説明図である。図５において、色円盤ユニット制御部９により、入力映像信号の垂直同期信号Ｖｓｙｎｃに同期して、かつ、１周期内でＲＧＢの各色フィルタがそれぞれ１回以上、光ビームスポットを通過するように制御する。また、センサ１２、ＡＭＰ１３により、色円盤ユニット（色フィルタ１０、モータ１１を含む）を透過した光束の漏れ光の光強度情報１３ａを検出する。この、光強度情報１３ａによる各色成分期間に同期して、画像表示デバイス制御部５により、画像表示デバイス１７に照射された光を、映像信号に対応して変調する。該画像表示デバイス１７で変調された反射光束あるいは透過光束を、投射レンズ１８によりスクリーン１９上に投射してカラー画像を再現する。
さらに、色順次の色の切替を高速で行うことや、色フィルタの構成を工夫することで、上記色順次に画像再現を行う方式にあっては、画像を見る人が瞬きした瞬間、首を振ったりした瞬間、あるいは、動きのある画像を再現している瞬間等で、画像が不自然に見えたり、あるいは色フリッカーを感じるような現象を防止するようにしている。また、混色領域である色の切り替わり期間では、画像再現用としての光利用を避けるので再現画像の輝度が劣化する。これに対しては色円盤上の集光ビーム径の縮小化で対応している。
【０００４】
【発明が解決しようとする課題】
画像の不自然性、色フリッカー現象等の防止のためには、色フィルタのより一層の高速回転化が有効であるが、これには、該色フィルタや色円盤の破損や振動の増大等が予想される。
本発明の目的は、上記課題点を解決し、従来技術をさらに改善し、安全性を確保した状態で画質の向上を図れる技術を提供することにある。
【０００５】
【課題を解決するための手段】
上記した課題を解決するために、本発明では、
１）光源側からの光をパネル部で変調し画像表示を行う画像表示装置であって、複数の色フィルタが周状に配され、回転により、該色フィルタに入射される光源側の光から該色フィルタ対応の色成分光を順次分離する色円盤と、該色円盤を回転駆動するモータと、上記色フィルタの状態または上記色円盤の回転状態を検知して異常を判別し該モータの回転を停止または減速させるよう制御する構成を有する制御手段と、上記色フィルタからの上記色成分光を画像入力信号に基づき変調するパネル部と、該パネル部からの出射光を表示部に導く手段と、を備え、画像信号の所定の表示期間を時分割した上記色成分光に基づき画像表示を行い、上記異常のときは上記色円盤の回転を停止または減速させるとともに該画像表示を自動的に停止させる構成とする。
２）上記１）において、制御手段を、上記色フィルタに対する透過光もしくは反射光、またはそれらによる出力信号、または色円盤の振動を検知することにより上記色フィルタの状態または上記色円盤の回転状態を検知する構成とする。
３）上記１）において、制御手段を、上記光源とは異なる第２の光源を有し、該光源からの光の上記色フィルタに対する透過光もしくは反射光の変化により上記異常を検知する構成とする。
４）上記１）、２）または３）において、制御手段を、上記検知した透過光もしくは反射光、またはそれらによる出力信号、または上記振動の各レベル、または、該透過光、該反射光、該出力信号、または該振動の単位時間当たりの変化量を、それぞれ設定基準値と比較して上記異常を判別する構成とする。
５）上記４）において、上記制御手段を、上記設定基準値が、上記色フィルタへの入射光レベル以下、透過光レベル以上の値となる構成とする。
６）上記１）において、上記制御手段を、上記検知した透過光もしくは反射光、またはそれらによる出力信号、または上記振動を検知する検知部と、該検知部からの出力を設定基準値と比較し上記異常を判別する比較回路とを備えた構成とする。
７）光源側からの光をパネル部で変調し画像表示を行う画像表示装置に用いられ、回転により色フィルタで入射光から色成分光を順次分離する色円盤を回転駆動するためのモータの制御回路であって、上記色フィルタに対する透過光もしくは反射光から得られる信号、または色円盤の振動から得られる信号が入力され、設定基準値との比較により該モータの回転を該色フィルタの状態または上記色円盤の回転状態に対応し、停止または減速させるよう制御するための信号を形成する構成とする。
【０００６】
【発明の実施の形態】
以下、図面を用いて本発明を説明する。
（第１の実施例）
図１は本発明の第１の実施例を示し、パネル部に反射型表示デバイスを用いた投射型ディスプレイ装置の構成例である。図７、図８は各処理部での動作タイミングを示す波形図である。図９は色フィルタの構成図である。
本実施例では、入力映像信号として、動画像表示が主である標準的なテレビジョン放送を想定しているが、説明を簡単にするために、画像フレーム周波数Ｖｓｙｎｃが６０Ｈｚである場合につき説明する。本発明は、入力画像に対する画像フレームレートを変換した場合もその技術的範囲内に含む。本実施例は、光源の白色光から特定色成分を色順次に抽出した光束を、反射型表示デバイスに投射し、かつ対応する色成分の画像情報に基づいて反射型表示デバイスにより光変調することで画像を再現する。また、使用する原色成分としては、説明を簡単にするために、赤（Ｒ）、緑（Ｇ）、青（Ｂ）を用いる場合を示す。また、画像フレーム周期内の時分割数は３原色成分が少なくとも一巡するようようにした場合を示す。また、本実施例では、３色の色フィルタで構成する色円盤を機械的に回転させることでビームスポットを通過する色フィルタを切り替えるようにした構成としたが、色フィルタ形状、フィルタ特性、色数等はこれに限定されず、本実施例と異ならせてもかまわない。また、使用する画像表示デバイスも、時間配分制御による階調表現方法が可能なもの（通常は応答速度が数十μｓ以下のもの）であればよく、例えば強誘電型液晶等であってもよい。なお、本実施例では、画像再現に用いる光源の発光特性、レンズ構成等の光学系の詳細、画像表示デバイスの制御の詳細については説明を省く。
【０００７】
図１で、１は、映像信号を入力するための入力端子、２は垂直同期信号Ｖｓｙｎｃを入力するための同期信号入力端子、３は水平同期信号Ｈｓｙｎｃを入力するための同期信号入力端子、４はタイミング生成回路、１７は画像表示デバイス、５は画像表示デバイス制御部、６はしきい値設定部、８は第１の比較器、７は第２の比較器、１０は、光源の白色光からＲ、Ｇ、Ｂそれぞれの成分を透過させる色フィルタを周状に並べて成る色円盤、１１は該色円盤１０を回転させるモータ、により構成する色円盤ユニット、９は、モータ１１を駆動制御する色円盤ユニット制御部、１２は光強度を検出するセンサ、１３は該検出した信号を増幅するＡＭＰ（増幅器）、１４は光源として用いるランプ、１５、１６はコンデンサレンズ、１７は液晶パネルあるいは反射型表示デバイス等の画像表示デバイス（パネル部）、１８は投射レンズ、１９はスクリーンである。上記色円盤１０、モータ１１は色円盤ユニットを形成する。
【０００８】
以下、図１、図７、図８及び図９を用いて、本発明の動作を説明する。
図７及び図８は、本発明の実施例における処理ブロックでの信号の概略波形図と、画像表示デバイス１７のオン／オフ動作のタイミングを示す波形図で、図７は通常モード時、図８は異常モード時である。
本実施例による画像再現のための処理技術は、基本的には、特開平１０−４８５４２号公報に記載されたものと同じである。１フレーム周期（以下、Ｖｓｙｎｃという）内で、コンデンサレンズ１５により集光された光ビームスポットが、色円盤１０のＲ、Ｇ、Ｂの各色フィルタをそれぞれ１回以上通過し、かつ入力映像信号に同期するようにモータ１１を回転させる。光ビームスポットを通過する色フィルタの位置情報に合わせ、入力映像信号で対応する色成分の階調情報に従い、画像表示デバイス制御部５により、画像表示デバイス１７に照射された光を表示画素単位で変調する。以上の処理により色フィルタを通過した光束は、画像表示デバイス１７で光変調された後、投射レンズ１８によりスクリーン１９上に投射される。スクリーン１９の観察者は、色順次に表示される画像であっても、その視感度の応答性に着目し、あたかも各色が重畳されたように錯覚させることで画像再現が達成される。
一方、視感度の応答性には個人差もあるが、Ｖｓｙｎｃの１周期での各色フィルタＲ、Ｇ、Ｂの巡回数を増やすことで画像の劣化を防止できる。
【０００９】
以下、ランプ１４からの光束のうち色円盤１０を透過後の光の漏れ光につきその光強度をセンサ１２で検出または検知する場合につき説明する。
図９（イ）に色円盤１０の構成状態を示す。また、図７に、該状態（イ）時の上記漏れ光の光強度で振幅補正を行った光強度情報１３ａの波形状態の一例を示す。センサ１２の出力信号は、センサ１２の配置条件、光源の発光量等により変化するが、ＡＭＰ１３により振幅補正可能である。また、色フィルタの切り替わり領域では、光ビームスポットの大きさと、色円盤の回転速度により定まる期間Ｔｏｆｆは混色することから、Ｔｏｆｆ期間にあっては、画像表示デバイス制御部５により、画像表示デバイス１７を、オフ状態にさせることで、画像再現用途としての光利用を避けるよう動作させる。これにより、光利用効率は劣化するが、再生画像の劣化を防止できる。
ここで、Ｖｓｙｎｃの１周期で各色フィルタＲ、Ｇ、ＢがＮ回巡回（Ｎは整数で巡回数を示す）する場合、画像再現に利用しない期間Ｔｃｕｔは、次の数１で表される。
【００１０】
【数１】
Ｔｃｕｔ＝３・Ｔｏｆｆ・Ｎ
これから明らかなように、画像再現性の向上を目的に上記巡回数Ｎを増やすことは、Ｔｃｕｔ期間の増大、すなわち、光利用効率を劣化させることになる。光利用効率を向上させるべく、Ｔｏｆｆ期間を短くするために、光ビームスポットサイズを小さくすること、あるいは色円盤１０の回転速度を高めることで対応する。そのためには、色円盤１０の構成条件、光学部材などをこれに適した条件にすることが必要となる。
ここで、色円盤１０の回転速度（角速度）を高めることは、騒音源の増大、機械寿命の劣化もさることながら、該色円盤１０の自重による遠心力の増大を招くものであり、色円盤１０の構造上の強度向上が求められる。
【００１１】
次に、しきい値設定部６でのしきい値ｔｈ１の設定方法について説明する。センサ１２の設置位置での漏れ光の光強度情報１３ａに着目し、各色フィルタを透過した光の強度情報１３ａの値以上で、かつ、該色円盤１０を付けなかった場合の該光強度情報のレベル、すなわち上記色フィルタへ入射する光レベルを越えない範囲内になるように該しきい値ｔｈ１を設定する。ここで、ランプ７による光強度が一定に保たれるとは限らず、ランプ寿命による光強度の劣化、あるいは、ランプ駆動電源のノイズ成分、ランプ自身に発光のむら等があることから、光強度情報１３ａの経時変化に追従して、しきい値ｔｈ１を随時設定するようにしてもよい。また、ランプ７の寿命が尽きる時の発光性能を予め設定できる場合には、該しきい値ｔｈ１は固定してもよい。該固定値とした場合には、回路構成の簡略化によるコスト低減が可能となる。
以上の処理により得られる光強度情報１３ａとしきい値ｔｈ１との大小判定は第１の比較器８で行う（８ａ）。例えば、大小判定８ａとして、図９（イ）に示す色円盤１０の場合には、該光強度情報１３ａのレベルは該しきい値ｔｈ１を下回ることを（ロジックＨレベル）、また、図９（ロ）に示すように、Ｒの色フィルタの一部が欠損している色円盤１０の場合には、図８に示すように光強度情報１３ａが、欠損したＲの色フィルタ部分でしきい値ｔｈ１を越えたことを大小判定８ａが示す（ロジックＬレベル）よう動作する。この大小判定８ａの情報を得て、色円盤制御部９によりモータ１０の回転を制御する。つまり、大小判定８ａが常時Ｈレベルにある場合に、通常の回転動作を指示し、一方、Ｌレベルを検出または検知した場合には、瞬時に回転動作を停止させ、かつ、画像表示処理の一切の動作を停止させるようにする。
【００１２】
上記実施例構成によれば、画像再現を行っている途中で、予期せぬ外乱、あるいは構造の経時劣化、等により、色円盤１０が、例えば図９（イ）の状態から図９（ロ）の状態となった場合は、即刻、駆動用のモータの回転を停止または減速させ、かつ画像再現のための一切の処理も停止させることも可能とする。これにより、色フィルタが欠落することによる装置破壊やけが等被害の拡大を最小限に抑えることができる。これによって、安全な画像表示装置を提供することが可能である。
また、本実施例の場合、しきい値設定部６はさらに特定の色フィルタを通過する際の光強度情報１３ａを識別できるだけの光強度情報をしきい値ｔｈ２として設定し出力する。例えば、図７で示すように、Ｇ色フィルタの光強度情報１３ａ以下で、他のＲ、Ｂ色フィルタの光強度情報１３ａ以上となるようにしきい値ｔｈ２を設定する。これにより第２の比較器７により、光強度情報１３ａと、しきい値ｔｈ２との大小情報７ａとを出力可能となる。本実施例では、該大小情報７ａを、色円盤１０の回転位置情報として用いるようにしてもよい。これにより、センサ１２を、上記破壊検出用と、色円盤１０の回転位置情報生成用とに共用でき、部品構成の簡略化が可能となる。もちろん、色円盤１０の回転位置検出用に、センサ１２とは別のセンサまたは手段を用いてもよい。
また、本実施例では、センサ１２では、画像表示用途に用いるランプ７からの光束を用いるとしたが、本発明はこれに限定されず、例えば別の専用光源を用いるようにしてもよい。専用光源とした場合は、設計自由度や検出精度の向上を図り易い利点がある。
さらに、本発明は、光強度の単位時間当たりの変化量（微分量）を上記光強度情報１３ａとして用いる構成であってもよい。
またさらに、本発明は、色円盤ユニットと、色順次で色再現する方式の画像表示デバイスとの組合せであれば範囲内に含み、上記実施例の構成に限定されない。
【００１３】
（第２の実施例）
図２は本発明の第２の実施例を示す。
図２の構成において、図１と同一符号を付した部分は該図１の場合と同様であり、これについては重複説明を避けるために説明を省く。本第２の実施例では、色円盤を透過した光束の漏れ光の代わりに、ランプ１４からの光束で、コンデンサレンズ１５により集光した光ビームの光束で、色円盤１０を反射した光束の漏れ光をセンサ１２で検知する。色円盤１０が、図９（イ）で示す構成時にあっては、センサ１２、ＡＭＰ１３により、ランプ１４の輝度及び色円盤１０の色フィルタの光波長成分での反射率に従う光強度を検出または検知し、信号振幅補正を行った光強度情報１３ａを得る。しきい値設定部６では、各色フィルタ通過時の光強度情報１３ａの最小値以下となるようにしきい値ｔｈ１を設定する。この場合、該しきい値ｔｈ１は、ランプ１４の経時変化に追従して可変するようにしてもよいし、または、経時変化、寿命時性能等が既知であれば、固定値とすることも可能である。光強度情報１３ａとしきい値ｔｈ１との大小比較を第１の比較器８で行い、比較結果情報８ａに基づき色円盤ユニット制御部９がモータ１１の回転動作を制御する。例えば、光強度情報１３ａがしきい値ｔｈ１より小さくなった場合には、モータ１１の回転を停止させる。さらに、ランプ７の発光の停止等、画像再現のための他の動作もともに停止させるようにしてもよい。
本第２の実施例の構成によれば、画像再現を行っている途中で、予期せぬ外乱、あるいは構造の経時劣化、等により、色円盤１０の状態が、例えば図９（イ）の状態から図９（ロ）の状態に変わった場合には、センサ１２により光変化を検出または検知したタイミングで画像再現のための処理を停止させることができる。また、第１の実施例で示したと同様の処理により光強度情報１３ａを用いて色円盤１０の回転位置を検出することも可能である。また、本構成では、画像再現には用いない不要光を用いて検出または検知する方式のため、構成上の自由度が高い。また、不要光であることから、可視外光の波長成分領域の光で検出または検知でき、外光による誤検出または検知を低減化することができる。
【００１４】
（第３の実施例）
図３は本発明の第３の実施例を示す。
図３の構成において、上記第１、２の実施例構成と同じ符号の部分については重複説明を避ける。本第３の実施例では、画像再現のためのランプ７とは別に発光体２０を、色フィルタの状態検知用の光源として用いる。センサ１２は、発光体２０による反射光の光強度を検出または検知する。
本第３の実施例によれば、画像再現用でない光を用いる検出構成であるため、その光源としての発光体２０は、例えば赤外発光ダイオード等、光の波長成分として可視外光域での成分を多く含み、安定な発光特性を有し、かつ、センサ１２の受光感度を十分満足する輝度が得られるものを選択でき、長期間にわたって安定した性能が得られ、外光による誤検出も防止することができる。また、発光体２０とセンサ１２とを組合せた状態で配置する構造であるため、組込みや調整が容易である。
【００１５】
（第４の実施例）
図４は本発明の第４の実施例を示す。
本実施例は、色円盤ユニットで発生する機械振動を検出することにより、上記色フィルタの状態または上記色円盤の回転状態を検知して異常を判別する構成である。通常、色フィルタや色円盤に損傷等が生じた場合には、回転時のダイナミックバランスが崩れ遠心力が発生して機械振動が増大する。機械振動を振動検出部２１で検出し、出力としての振動量情報２１aを、第３の比較器２２でしきい値と比較する。しきい値設定部６では、該比較の基準となるしきい値ｔｈ３を生成し出力する。また、振動検出部２１としては、例えば、加速度センサや、衝撃センサ等を用いる。しきい値設定部６では、画像再現を目的とする通常回転動作中に発生する振動量情報２１ａの絶対量以上となるようしきい値ｔｈ３を固定、あるいは可変設定する。第３の比較器２１では、振動量情報２１ａの絶対量と、しきい値ｔｈ３との大小情報を出力する（２２ａ）。振動量情報２１ａとしきい値ｔｈ３との大小比較を第３の比較器２２で行い、比較結果情報に基づき色円盤ユニット制御部９がモータ１１の回転を制御する。例えば、振動量情報２１ａがしきい値ｔｈ３より大きい場合、モータ１１の回転を停止させる。さらに、ランプ７の発光の停止等、画像再現のための他の動作もともに停止させるようにしてもよい。
本第４の実施例によれば、異常を直接的にかつ迅速に検出できるため、モータ回転の即時停止等、システムの異常への瞬時の対応が可能で、色フィルタ等部品の損傷を未然に防止できる確率が高い。例えば、色フィルタのモータ回転部との取付部分がずれる等して、色円盤１０の重心が微量でも崩れるような場合には、遠心力に起因したアンバランス回転により振動量情報２１ａが増大するため、しきい値ｔｈ３を最適に設定することで、該振動量増大を検知できる。これにより、色フィルタが破壊に至る前にモータの回転を停止させることができ、安全性を確保できる。
【００１６】
【発明の効果】
本発明によれば、光源側からの光をパネル部で変調し画像表示を行う画像表示装置において、安全性を確保した状態でフリッカー等を抑え、画質の向上を図れる。また、光利用効率の改善も可能となる。
【図面の簡単な説明】
【図１】本発明の第１の実施例を示す図である。
【図２】本発明の第２の実施例を示す図である。
【図３】本発明の第３の実施例を示す図である。
【図４】本発明の第４の実施例を示す図である。
【図５】従来の画像表示装置の構成例を示す図である。
【図６】従来例を補足説明する波形図である。
【図７】本発明の動作を説明する波形図である。
【図８】本発明の動作を説明する波形図である。
【図９】色円盤の状態の説明図である。
【符号の説明】
１、２、３…入力端子、    ４…タイミング生成部、
５…画像表示デバイス制御部、    ６…しきい値設定部、
７…第１の比較器、    ８…第２の比較器、    ９…色円盤ユニット制御部、
１０…色円盤、    １１…モータ、    １２…センサ、    １３…ＡＭＰ、
１４…ランプ、    １５、１６…コンデンサレンズ、
１７…画像表示デバイス、    １８…投射レンズ、    １９スクリーン。
【図１】
0003727516.tif 000002
【図２】
0003727516.tif 000003
【図３】
0003727516.tif 000004
【図４】
0003727516.tif 000005
【図５】
0003727516.tif 000006
【図６】
0003727516.tif 000007
【図７】
0003727516.tif 000008
【図８】
0003727516.tif 000009
【図９】
0003727516.tif 000010